(57)【特許請求の範囲】
【請求項１】
ドア部材と、
スライダ部材と、
コイルバネと、
板バネと、
ガイド部材と
を備えるコンピュータドアアセンブリであって、
前記ドア部材は、前面および背面を有するとともに複数個の後ろ方向に延在するドア突出部を有し、
前面および背面を有する前記スライダ部材は、該前面および背面の間に延在する複数個の開口部と、後ろ方向に延在する複数個のスライダ突出部とを備え、前記後ろ方向に延在する複数個のドア突出部は前記スライダ部材の前記複数個の開口部のうちの対応するものを貫通し、
前記コイルバネは、前記複数個のドア突出部の１個の周りに取り付けられ、かつ前記ドア部材の前記背面と前記スライダ部材の前記前面の間で捕捉され、
前記板バネは、その第１の端部が前記後ろ方向に延在するドア突出部の第１の突出部に装着され、かつ、第２の端部が前記後ろ方向に延在する複数個のスライダ突出部の１個に装着され、その中間部が、前記ドア部材の前記スライダ部材に対する後ろ方向の変位時に前記後ろ方向に延在するドア突出部の第２の突出部により弾性的に可撓係合可能であり、
前記ガイド部材は、前記複数個の後ろ方向に延在するスライダ突出部の少なくとも１個と案内可能に係合するように適合される複数個のガイド面を設けられており、
前記ドア部材は、第１の軸方向位置と第２の軸方向位置の間で前記スライダ部材に対して軸方向に変位可能であり、前記スライダ部材は、前記軸方向を横切って延在する面内において前記ガイド部材に対して変位可能である、コンピュータドアアセンブリ。
【請求項２】
前記ドア部材は周縁形および壁部を有し、前記コンピュータドアアセンブリは、前記ガイド部材に対して固定して位置し、通常平坦な前面および背面を有し、前記ドア部材と同様の周緑形および壁部を含む開口部を有する筐体をさらに備える請求項１に記載のコンピュータドアアセンブリ。
【請求項３】
前記ドア部材が、前記筐体開口部と軸について位置合わせされ、かつ前記ドア部材の前記前面が前記筐体の前記前面と同一面をなす第１の位置と、前記ドアが前記筐体開口部から軸についてずれた位置にあり、前記ドアの前記前面が前記筐体の前記背面と隣接する第２の位置とに選択的に移動する請求項１に記載のコンピュータドアアセンブリ。
【発明の詳細な説明】
【０００１】
【発明の属する技術分野】
本発明は、一般に、コンピュータに関し、特に、コンピュータＩ／Ｏポート等に対するアクセス開口部を覆うドアアセンブリに関する。
【０００２】
【従来の技術】
コンピュータがますます強力になってくるにつれ、コンピュータに接続可能な周辺機器の数も常に増加してきた。現在のコンピュータは、ＵＳＢコネクター、FireWire(IEEE1394)コネクター、シリアルコネクター、パラレルコネクター、モデムポート、ネットワークポート、マイクロフォンポート、オーディオ入出力ポート、ビデオ入出力ポート等（以下、総称して「Ｉ／Ｏポート」または「電気コネクターポート」と称する）等の各種のポートを１０個以上有することが珍しくない。従来のほとんどの電気コネクターポートはコンピュータの後部にあったが、現在の多くのコンピュータでは、少なくともいくつかの電気コネクターポートがその前部に設けられている。コンピュータの後部にある電気コネクターポートは、コンピュータの背面はコンピュータ使用者およびコンピュータ環境における大部分の他者の目に触れないことから、剥き出しであることが一般的である。しかしながら、電気コネクターポートがコンピュータの前部に設けられる場合、全体的な美観から、何らかの種類のコネクターポートカバーを設けることが一般に求められる。かかるカバーとしては、電気コネクターポートを露出させるように揺動開口し、使用時以外にはポートを覆うように閉じる旋回式ドアが考えられる。旋回式ドアの問題点は、外側に旋回する際、コンピュータの前部から外側に突出するため簡単にぶつかりやすく、壊れたり外れたりしてしまうことである。また、内側に枢動する際には、非常に大きな退避のための空間を必要とする。また、閉じるために引っ張ろうとするとき、つかむのが困難である。他には、スライド式ドアをコンピュータ筐体の前面または後面に取り付けて、これを上方または横方向に摺動させて、コンピュータ筐体の開口部を露出させることで、そこから電気コネクターポートにアクセス可能とするものも考えられる。このスライド式ドアは、筐体の外側に取り付けた場合に美的観点から望ましくない外観をもたらし、筐体の内側に取り付けた場合には閉位置において筐体に凹部が露出し、同様に審美的に魅力に欠け、また塵埃がたまりやすくなる等の問題がある。
【０００３】
【発明が解決しようとする課題】
本発明者らの所見から、閉じたときにコンピュータ筐体の外表面と同一面をなすように位置決め可能であり、かつその一部をコンピュータから外側に突出させることなく、また、内側に大幅に突出させることなく開口可能なコンピュータドアアセンブリを提供することが一般に望ましい。
【０００４】
本発明は、コンピュータの外側筐体に設けられ、筐体の内面のすぐ後ろに並進運動（平行移動）可能に変位するとともに、この筐体の面と平行方向に移動することにより、ドアの下に配置された少なくとも１個の電気コネクターを露出させることが可能なドアアセンブリを有するコンピュータおよびそのドアの開閉方法に関するものである。
【０００５】
【課題を解決するための手段】
このため、本発明におけるコンピュータは、少なくとも１個の電気コネクターポートと、このポートを覆っていて、パネル開口部がこのポートと軸について位置が合った外側筐体と、コンピュータ構成部材上に変位可能に取り付けられたドア部材とを有し、そのドア部材は複数の、並進運動に適した動作位置を有し、この動作位置は、ドアが開口部内にあり、かつその外表面が外側筐体に外接する面と同一面をなす第１の動作位置と、このドアが開口部と軸について位置合わせされ、かつそこから内側に変位されている第２の動作位置と、このドアが開口部から軸についてずれた第３の動作位置とを含んでいる。
【０００６】
また、このドア部材は、軸方向外向きに付勢され、かつ複数の動作位置の間において手動で変位させることが可能である。
さらに、このドア部材は、ドア部材の一端に付加される軸方向の力を前記ドア部材の反対側の端部に伝達する力の伝達部材に接続されている。
【０００７】
また、本発明のコンピュータでは、コンピュータドアアセンブリがドア部材とスライダ部材とコイルバネとガイド部材とを備えている。そのドア部材は前面および背面を有していて複数個の後ろ方向に延びるドア突出部を含み、スライダ部材は前面および背面を有していて、この前面および背面の間に延びる複数個の開口部と複数個の後ろ方向に延びるスライダ突出部とを備え、複数個の後ろ方向に延びるドア突出部はスライダ部材の複数個の開口部のうちの対応するものを貫通している。コイルバネは、この複数個のドア突出部の１個に取り付けられてドア部材の背面とスライダ部材の前面の間で捕捉されていて、板バネは、第１の端部が後ろ方向に延びているドア突出部の第１の突出部に装着されているとともに第２の端部が複数個の後ろ方向に延在するスライダ突出部の１個に装着されるとともに板バネの中間部は、ドア部材がスライダ部材に対して後ろ方向に変位しているときには、後ろ方向に延びているドア突出部のうちの第２の突出部によって弾性的に可撓係合されている。ガイド部材は、複数個の後ろ方向に延在するスライダ突出部の少なくとも１個と案内可能に係合するように適合される複数個のガイド面を有していて、そのドア部材は第１の軸方向位置と第２の軸方向位置の間でスライダ部材に対して変位可能であり、スライダ部材は軸方向を横切って延びている面においてガイド部材に対して変位可能である。
【０００８】
また、本発明は、コンピュータのドアを開く方法を含み、該方法は（ａ）ドアを当接面に軸方向に押しつける過程と、（ｂ）軸方向の変位に直交する方向にドアを摺動する過程とを含む。
【０００９】
【発明の実施の形態】
コンピュータのハウジングおよび筐体について以下に記載する。図１〜４は、上部１２と、底部１４と、前部１６と、後部１８と、左側面部２０と、右側面部２２とを有するコンピュータ１０を示す。コンピュータは、図１１に最もよく示されるように、前面部２６を有する内側薄板金属ハウジング２４を有する。薄板金属ハウジング前面部２６の開口部には、電気コネクターポートアセンブリ３０が設けられる。また、この電気コネクターポートアセンブリは、ハウジング２４の側面、背面または上面部、また図示する位置のいずれに設けてもよい。電気コネクターポートアセンブリ３０は、図１１に示すように、オーディオポート３２、ＵＳＢポート３４、３６、マイクロフォンポート３８等いずれのタイプの電気コネクターを１個以上を含む場合がある。
【００１０】
図示の実施形態において、前部上部一体部材５２、後部部材５４、ベース部材５６および左右側面パネル部材５８、６０を含む外側筐体５０は、コネクタータブ等により薄板金属ハウジング２４に着脱可能に取り付けられる。好ましい一実施形態における薄板金属ハウジング２４および外側筐体５０は、２０００年４月１９日付けで出願されたElizabeth B. Diaz、Felix GuerraおよびYancy Chenの米国特許出願第０９／５５２，２０１号「モジュラコンポーネントを有するコンピュータ(COMPUTER WITH MODULAR COMPONENTS)」および２０００年５月２６日付けで出願されたElizabeth B. Diaz、Kun-Chi HsiehおよびBo Siu-Faiの米国特許出願（代理人処理番号第１０００４２５５−１）「着脱可能なパネルを有するコンピュータ(COMPUTER WITH REMOVABLE PANELS)」に記載のものと同一であり、これらの内容は、ともにその開示されるすべてを引用することにより、本明細書の一部をなすものとする。
【００１１】
図１〜図４に示されるように、前部上部一体部材５２および左側面パネル部材５８は、シーム線６２に沿って当接して配置される。筐体にはドア開口部７０が画定される。開口部は、第１の部分７４が部材５２に形成され、かつ第２の部分７６が、左側面パネル部材５８に形成される筐体の環状で軸方向に延在する壁部７２により、画定される。開口部は、アーチ状の上部７８とアーチ状の下部８０とを有し、その中間部８２の間には縦方向の側面が平行に延在している。筐体は、開口部７０の周縁面８６を含む略平坦な前部壁部８４を有する。
【００１２】
ドアアセンブリ１００は、薄板金属ハウジング前面部２６に搭載されている。ドアアセンブリ１００の各種コンポーネントは、ドアアセンブリの分解正面斜視図および組み付け後の後部立面図をそれぞれ示す図５および図６に最もよく示される。
【００１３】
ドア部材について以下に記載する。ドアアセンブリ１００は、開口部７０の形状に合致し、その内部にぴったり受けられるように適合されているドア部材１０２を含む。ドア部材は、アーチ状の上部１０４と、アーチ状の底部１０６とを有し、中間部１０８がその間に延在している。ドアは、開口部７０とほぼ同一の寸法で、開口部から挿抜可能に僅かに小さくすることができる。たとえば、ドアの幅が約１８ｍｍ、開口部の幅が約１８．５ｍｍ、ドアの長さが約６１ｍｍ、開口部の長さが約６１．５ｍｍとすることができる。ドアは、たとえば３ｍｍとすることができる、開口壁部７２の寸法と同一または略同一の寸法の、環状で軸方向に延在する、壁１１０を有する。ドアは、開口部７０の周縁面８６の領域において筐体前部壁の表面と平行に延在している略平坦な前面表面１１２を有する。ドアが図１に示すように閉じた位置にあるとき、ドアの底部前部には下部切頭パイプ状突出部を設けてもよい。切頭パイプ部１１４は、上壁部がたとえば５ｍｍ外側に延び、下壁部１１８がたとえば１ｍｍ外側に延びており、切頭パイプ状突出部の円形内側部分１２０には複数個の凹面部１２２が設けられ、ドアと人の指とが係合しやすくなっている。ドアの平坦な背面１２４には、上部離間タブ１２６、１２８と下部離間タブ１３０、１３２とが設けられている。ドアの背面からは円筒状の突出部材１３４、１３６も突出している。また、ドア部材の背面からは底部突出部材１３８も突出している。底部突出部材１３８内には、鉛直方向に延在するスロットが設けられ、板バネを配置できるようになっているが、これについてはさらに詳細を後述する。ドア部材１０２の背面１２４からは、板バネを保持する孔１４２を内部に設けた上部突出部材１４０も突出している。
【００１４】
スライダ部材について以下に記載する。ドアアセンブリ１００はまた、π形のスライダ部材１５０も有する。スライダ部材は、略鉛直延在部１５２を有し、横方向に延在する脚部１５４、１５６がその上部および下部から突出している。また、スライダ部材１５０は、ドア部材案内タブを受ける開口部を内部に設けた横方向に延在するタブ受け部１５８、１５９、１６０をさらに有するが、これについてはさらに詳細を後述する。スライダ部材１５０は、円形状の上部１６２と円形状の下部１６４とを有し、その間を中間部１６６が延在している。この中間部は、その略平坦な前面１７５と略平坦な背面１７８の間に延在する上部切抜部１６８と、第１の円形切抜部１７０と、第２の円形切抜部１７２と、底部切抜部１７４とを有する。スライダ部材は、その前面および背面の間に延在する、軸方向に延在する環状側壁１７６を有する。スライダ部材には、上部円筒状後部突出部１８２が鉛直延在部分１５２に取り付けられ、拡張可能な端部を有する一対の後部突出部１８４、１８６が脚部１５４、１５６から後ろ方向に突出している。また、スライダ部材１５０には、後ろ方向に突出するスロットを設けたバネ保持用突出部１８８が図６に最もよく図示されるようにその底部背面から延びている。
【００１５】
ガイドブラケットについて以下に記載する。引き続き図５および図６を参照して、ドアアセンブリ１００は、第１の伸長部２０２と第２の伸長部２０４が共通の鉛直に延在する横壁２０６を共有するガイドブラケット２００をさらに有する。第１の部分２０２は、上部２１２と底部２１４を有する前面２１０と、対向する背面２１５とを有する。鉛直に延在するスロット２１６、２１８は、この前面および背面の間に延在し、これを貫通するスライダ突出部１８４、１８６を受けるように適合される。第１の部分には、左側壁２２２が前方向および後ろ方向に突出しており、その下部の左側には後ろ方向に突出するタブ２２４が設けられている。第１の伸長部２０２は、上壁２２６および右側壁２２８をさらに有する。それぞれが、前方向および後ろ方向に突出している。ノッチつきタブ２３０、２３２は、右側壁から外側に突出している。
【００１６】
第２の伸長部２０４は、対向する平坦な前面および背面２５０、２５２を有する上部２４８を有する。上部２４８は、伸長開口端スロット２５４がこれを貫通するとともに、その間で摺動可能に受けることができるように適合されるスライダ部材の突出部１８２のガイド面として作用する平行スロット側壁２５６を有する。第２の伸長部２０４は、横方向に延在する壁２６２、２６４が後ろ側にのみ突出し、左および底部側壁２６６、２６８が前方向および後ろ方向に突出した下部２６０を有する。第１および第２の伸長部２０２、２０４の後部端面２７０、２７２は薄板金属ハウジング２２４の前面２６と当接係合するように配置される。
【００１７】
付勢装置について以下に記載する。図５に最もよく図示するように、ドアアセンブリ１００は、コイルバネ２８０および板バネ２９０を含んで構成可能な付勢アセンブリをさらに含む。コイルバネ２８０は、ドア１０２の円筒状突出部材１３４を中心に受けられ、その第１の端部２８２がドア１０２の背面１２４と当接係合して配置されるとともに、その第２の端部２８４がスライダ部材１５０の前面１７５と当接係合して配置されている。
【００１８】
板バネ２９０は、上部フック端部２９２と、たとえば１０ｍｍと短い上部２９４と、緩和用湾曲部２９６と、たとえば４０ｍｍの長さの下部２９８と、底部脚部３００とを含む。板バネ２９０は、その上部フック部２９２が孔１４２を通ってドア部材上部後ろ側突出部１４０に受けられるように適合され、かつその下部２９８が、脚部３００のすぐ上にあって、スライダ部材後部スロット付き保持用突出部１８８により受けられ保持されるように適合されている。
【００１９】
ドアアセンブリ１００は、板バネ２８０をドア後部突出部１３４の周りに配置することによって組み付けられる。次に、ドアを、π状のスライダ部材１５０に位置合わせし、このスライダ部材１５０に対して後ろ方向３１０に付勢することにより、突出部材１４０が開口部１６８を貫通する。バネ２８０をその周りに設けた円筒状突出部１３４が開口部１７０を貫通してドア１０２とスライダ１５０の間でバネ２８０を捕捉する。円筒状突出部１３６が孔１７２を通して受けられ、底部突出部材１３８が孔１５２を通して受けられ、タブ部１２６、１２８、１３０がスライダのタブ受け突出部１５８、１５９、１６０の開口部１６９、１７１、１７３を通して受けられるように構成される。上記受け孔のそれぞれは、ドア１０２のスライダ１５０に対する鉛直および横方向の変位を防ぐとともに、後ろ方向３１０および前方向３１２へのプランジする軸方向の動きができるようになっている。バネを取り付けた部材（ドア部材）１０２を、その後ろ方向突出部をスライダ部材１５０を貫通させて配置した後、板バネ２９０を、上部フック部２９２を孔１４２およびドア部材突出部１４０を通して引っかけ、さらに下部２９８の底端部を突出部材１８８の図示されない横方向に延在するスロットを通して摺動させることによって装着する。これにより、ドア部材１０２はスライダ部材１５０に固定され、部材１４０の段部１４１を孔１６８の上端部に隣接するスライダ部材の背面に当接係合することにより、ドアの上部が当接係合点を越えて方向３１２にむかって移動しないようにしているとともに、下部ドア突出部１３８の、孔１７４に隣接するスライダ１５０の背面に対する当接面（図示せず）により同様の動作を行っている。バネ部材２８０は、突出部１４２および１３８の表面１４１等が正常時にはスライダ１５０の背面に当接するように、ドア部材１０２を軸方向外側、すなわち、前方向３１２に付勢する。部材１２６、１３０、１３４および１３６は、スライダ部材１５０に対するドア部材１０２の横方向および鉛直の変位を防ぐように作用する。表面１２０を軸向き３１０に人が指で押すと、ドア１０２の下部がまず軸向き３１０に向かって移動し、これにより、突出部１３８の端部がバネ部材２９０の下部２９８に係合する。この係合により、部材２９０は緊張状態に置かれ、アーチ状に付勢され、これにより、突出部１４０において端部２９２により後ろ方向（３１０）の力がドアの上端部にかかる。この力により、ドア１０２の上端部がスライダに押しつけられ、表面１２０だけにかかる力により、図２および図９に図示されるようにドア１０２がスライダ部材１５０に平行に当接する。
【００２０】
ドア１０２、スライダ１５０ならびにバネ２８０と２９０の組み付け後、このサブアセンブリがガイドブラケット２００に取り付けられる。
【００２１】
スライダ後部突出部１８４、１８６を、鉛直に延在するスロット２１６、２１８の拡大端部２１７、２１９に通して配置した後、突出部１８４、１８６の分離端部を広げてこれらがスロット２１６、２１８から抜けないようにすることによって、ドアとスライダとバネのアセンブリがガイドブラケット２００に取り付けられる。突出部１８４、１８６とガイド突出部１８２の間隔は、突出部１８４、１８６がスロット２１６、２１８内に配置されるときに、後ろ方向に延在するガイド突出部１８２がスロット２５４に受けられるような間隔である。スロット２５４の側壁部２５６は、鉛直上下方向３１４、３１６の移動を抑制するように部材１８２をガイドする作用があり、一方、スロット２１６、２１８の側壁２１１、２１３は突出部１８４、１８６に関して同じ機能を奏する。また、スロット２５４は、ドア部材１０２がスライダ１５０に押しつけられる際にバネ部材２９０および突出部１４０がこれを通って自在に突出できるように十分に幅広である。また、突出部１８２には、スライダ１５０がブラケットに向かって軸方向変位するのを防ぐため、ブラケットの前面２１０に載置する当接面（図示せず）を設けてもよい。同様に、スライダ脚部１５４、１５６の裏面は、前面２１０の前面と摺動可能に当接係合し、これにより、スライダの方向３１０への変位を防ぐとともに、端部１８４、１８６の横方向突出部をブラケット背面２１５に当接させることにより、ブラケットに対するスライダの前方向３１２への変位を防ぐことができる。
【００２２】
このように組み付けられたドア１０２、スライダ１５０、バネ２８０、２９０およびガイドブラケット２００を有するドアアセンブリ１００は、タブ２２４、２３０、２３２をハウジング前面２６に設けた対応する切抜部（図示せず）に差し込むことによって、ハウジング前面２６に取り付けられる。ドアアセンブリ１００は、ドア１０２が完全に下げられた位置で電気コネクターポートアセンブリ３０の各ポート３２、３４、３６、３８を完全に覆うよう、また図１１に示す完全に上げられた位置でこれらのポート３２、３４、３６、３８を完全に露出するよう配置される。
【００２３】
ドア１０２とスライダ１５０アセンブリは、突出部１８４、１８６、１８２がそのそれぞれのスロットの底部にある完全に下げた位置と、突出部１８２、１８４、１８６がそのそれぞれのスロットの上部にある完全に上げた位置との間でブラケット内部で変位可能である。
【００２４】
部材（突出部）１４０、１３８の、その当接面１４０等とドア１０２の裏面との間の長さは、ドアがその正常時の外側に付勢された位置においてその前面１１２が筐体開口部７０の周縁面８６と連続した平行の関係となるよう位置決めされるものとなる。すなわち、この長さは、図１および図８のようにドアと筐体が同一面をなすような長さである。
【００２５】
図２および図９に示すように、後ろ方向３１０への軸方向の力を加えることにより、ドア１０２をスライダ部材１５０の前面１７５と当接するように移動し、ドア部材の上面１１２が側壁２６６の前側端部２７４の僅かに後ろ側に配置され、この面と筐体壁とが当接する。人の指により軸方向の力をかけることで、下部のドア部材１２０を前方向に付勢するとともに、突出部１３８をバネ部材２９０の下部２９８と係合させてこれを緊張状態にさせ、アーチ状または曲げた状態にして、端部２９２が軸方向後ろ向きの力をドアの上部後部突出部材１４０に加える。したがって、通常はドア１０２の下部端の変位のみを招いてしまう、中心からずれた軸方向の力であっても、バネ部材２９０との協働より、突出部１４０がドア１０２の両端に加えられる軸方向の力を生成し、ドアアセンブリがその上部および底部の両方においてスライダ１５０と当接するように移動される。
【００２６】
この位置において、ドアの前表面１１２は、筐体の僅かに３１０方向である後ろ側に配置され、操作者の指で切頭パイプ部１１４を垂直上向きに押すことによって、ドア１０２は、筐体の裏側に垂直に移動できるようになる。この次の位置が図３および図１０において最もよく図示される。この位置において、筐体壁背面自体がドア部材１０２の前表面１１２に当接し、前に移動することを防止している。ドア１０２は、突出部１１４をさらに垂直に押すことによって、図４に示される完全に上げた位置に垂直にさらに移動可能である。この完全に垂直に上げた位置は図１１および図１２にも図示されるが、これらの図において筐体は取り外されているため、ドア部材１０２が、筐体が適所にある場合にあるべき位置から軸方向外側に突出している。
【００２７】
以上、本発明の例示的で現在好適な実施形態を詳細に説明してきたが、本発明の概念はそれ以外において様々に具現され、使用可能であり、添付の特許請求の範囲は、かかる変形を、従来技術により制限されない限り包含すると解釈されるものとすることが理解されよう。
【図面の簡単な説明】
【図１】電気コネクターアクセスドアを閉じた状態にしたコンピュータの斜視図である。
【図２】上記ドアを軸方向内側に配置した状態にした図１のコンピュータの斜視図である。
【図３】上記ドアを軸方向内側に配置し、鉛直に途中まで持ち上げた状態にした図１のコンピュータの斜視図である。
【図４】上記ドアを軸方向内側に配置し、鉛直に完全に持ち上げた状態にした図１のコンピュータの斜視図である。
【図５】コンピュータドアアセンブリの分解斜視図である。
【図６】図５のドアアセンブリの後部立面図である。
【図７】外側筐体のすべてを取り外し、ドアアセンブリをコンピュータハウジングに取り付け、かつ閉じた動作状態で位置決めしたコンピュータの下部の正面立面図である。
【図８】筐体の側面パネルを取り外し、ドアを閉じた動作状態にしたコンピュータの下部の左側立面図である。
【図９】筐体のすべてを取り外し、ドアを軸方向内側に配置した図２にも示す動作状態で位置決めした、コンピュータの下部の左側立面図である。
【図１０】筐体の側面パネルを取り外し、図３にも示す軸方向内側に配置し鉛直に途中まで持ち上げた動作状態のドアを示す、コンピュータの下部前部の斜視図である。
【図１１】筐体を取り外し、この筐体がないためにドアがさらに外側へと突出している、図４と同様に持ち上げた動作状態のコンピュータドアを示す、コンピュータの下部の正面立面図である。
【図１２】筐体を取り外し、ドアを、図１１に図示する、持ち上げた位置にしたコンピュータの下部前部の左側立面図である。
【符号の説明】
１０  コンピュータ
３０  電気コネクターポートアセンブリ
３２  電気コネクターポート
５０  外側筐体
７０  筐体開口部、ドア開口部
８６  開口部周縁面
１０２  ドア部材
１０４  ドア部材の上部
１０６  ドア部材の底部
１１２  ドア部材の外表面
１３４、１３６、１３８、１４０  ドア突出部
１５０  スライダ部材
１６８、１７０、１７２、１７４  開口部
１７５  スライダ部材の前面
１７８  スライダ部材の背面
２００  ガイドブラケット
２５６  スロット側壁
２８０  コイルバネ
２９０  板バネ
２９２  板バネの第１の端部
２９８  板バネの中間部
３００  板バネの第２の端部
【図１】
0004369076.tif 000002
【図２】
0004369076.tif 000003
【図３】
0004369076.tif 000004
【図４】
0004369076.tif 000005
【図５】
0004369076.tif 000006
【図６】
0004369076.tif 000007
【図７】
0004369076.tif 000008
【図８】
0004369076.tif 000009
【図９】
0004369076.tif 000010
【図１０】
0004369076.tif 000011
【図１１】
0004369076.tif 000012
【図１２】
0004369076.tif 000013